(57)【要約】      （修正有）【課題】映像を伴うオンライン会議において一時的に外観を整える場合に、ワンタッチで着用することができ、着用者が正装しているように見え、着用の際に眼鏡やヘッドセットマイクを外す必要がない衣服を提供する。【解決手段】衣服は、Ｕ字状に変形可能な、衣服の襟の外観を有するカラー部と、カラー部の中央に接合されている、衣服の前面の外観を有する前身頃部とを備え、カラー部が、カラー部の内部に、形状復元力を有する材料を用いてＵ字状に形成された芯部を有し、またはカラー部の両先端に、一対の固定具を有する。衣服は、Ｕ字状のカラー部を着用者の首回りに配置し、芯部による形状復元力または固定具によって首回りに保持することによって、ワンタッチで着用することができる。【選択図】図１
0003229176.tif 000002
【実用新案登録請求の範囲】
【請求項１】
Ｕ字状に変形可能な、衣服の襟の外観を有するカラー部と、
前記カラー部の中央に接合されている、衣服の前面の外観を有する前身頃部とを備え、
前記カラー部が、
前記カラー部の内部に、形状復元力を有する材料を用いてＵ字状に形成された芯部を有し、または
前記カラー部の両先端に、一対の固定具を有する、
衣服。
【考案の詳細な説明】
【技術分野】
【０００１】
本考案は、ワンタッチで着用可能な、正装しているように見せることができる衣服に関する。
【背景技術】
【０００２】
通信技術の発達やテレワークの普及、感染症の流行などにより、直接対面する代わりにカメラを備える通信機器を通じて行う、オンライン会議の機会が増加している。映像を伴うオンライン会議には、互いの表情を見ながら会話することができるため、感情や微妙な意図などが伝わりやすいという利点がある。そのため、胸の上程度までの、上半身の一部を映して行うことが多い。
【０００３】
企業のオフィスで仕事をする場合は、スーツなどの服装を求められる場合が多い。そのため、オフィスで働いている人がオンライン会議に参加する場合には、特段の不都合は生じない。しかし、自宅で仕事をする場合、より自由な服装で行うことが多く、中には寝間着や下着のみで仕事をする人もいる。そのため、映像を伴うオンライン会議を行う場合、オンライン会議のために着替える必要性が生じている。
【０００４】
しかし、短時間のオンライン会議のために着替えるのは手間であり、洗濯するものが増えるなど、不経済な側面もある。また、事前の予告なくオンライン会議への参加を求められた場合には、着替えのために相手を待たせなければならないという不都合も存在する。
【０００５】
特許文献１には、胸元をデザインした布本体と、この布本体を衣服や下着に止めつける止めつけ部とからなる、みせかけの胸飾り服が開示されている。この止めつけ部は、布本体の上部に２つあり、衣服や下着に安全ピンやクリップ等の止め具で止めつけて使用すると記載されている。このような構造では、２つの止めつけ部を固定するため、少なくとも２回の操作が必要となる。また、上半身に何も着用していない場合には、このみせかけの胸飾り服を着用することができない。したがって、より簡便に着用可能にするという観点において、改善の余地がある。
【０００６】
特許文献２には、一枚の紙を裁断したもので、頭部からかぶるようになっており、全体的な色とデザインが応援する各スポーツチームのユニフォームを模しているものが開示されている。このような構造では、頭を通す穴の寸法によっては、着用の際に、眼鏡やヘッドセットマイクを外さなければならないという不都合が生じうる。したがって、より簡便に着用可能にするという観点において、改善の余地がある。
【先行技術文献】
【特許文献】
【０００７】
【特許文献１】実開平７−２４９１７号公報
【特許文献２】実開平６−５９４０５号公報
【考案の概要】
【考案が解決しようとする課題】
【０００８】
映像を伴うオンライン会議では、他人に見せるには適さない格好で仕事をしている人でも、一時的に外観を整える必要がある。しかし、外出着に着替えるとすると、着替える手間や、短時間だけ着た服の洗濯などの不都合を伴う。そのため、より簡便な対処法が求められている。
【課題を解決するための手段】
【０００９】
上記課題を解決するため、本考案は、Ｕ字状に変形可能な、衣服の襟の外観を有するカラー部と、前記カラー部の中央に接合されている、衣服の前面の外観を有する前身頃部とを備え、前記カラー部が、前記カラー部の内部に、形状復元力を有する材料を用いてＵ字状に形成された芯部を有し、または前記カラー部の両先端に、一対の固定具を有する、衣服を提供する。
【考案の効果】
【００１０】
本考案の衣服は、Ｕ字状のカラー部を着用者の首回りに配置し、芯部による形状復元力または固定具によって首回りに保持することによって、ワンタッチで着用することができる。カラー部は衣服の襟の外観を有し、前身頃は衣服の前面の外観を有するため、着用者が正装しているように見せることができる。本考案の衣服は、襟ぐりに頭を通すことなく着用することができるため、着用の際に眼鏡やヘッドセットマイクを外す必要がない。
【図面の簡単な説明】
【００１１】
【図１】本考案の衣服を着用した状態を示す図である。
【考案を実施するための形態】
【００１２】
本考案の衣服は、着用者が正装しているように見えることを主な目的とする。したがって、カラー部および前身頃部の外観は、ドレスシャツのように、フォーマルな印象を与えるものが好ましい。ドレスシャツは、ワイシャツ、カッターシャツなどと呼ばれることもある。また、前身頃部の一部として、ジャケットの外観を有する部分があってもよい。本考案の衣服はさらに、ネクタイまたはネクタイの一部を備えてもよい。なお、本考案の衣服の外観は、ドレスシャツやジャケットに限定するものではなく、オフィスカジュアルと呼ばれるものなど、多様な種類の衣服から選択されうる。
【００１３】
本考案の衣服は、カメラの映像を通じて見られる、着用者の外観を整えることを主な目的とする。したがって、前身頃部は、必ずしも通常の衣服の上衣のように、着用者の腹部までを覆う長さを有する必要はない。例えば、胸部までの長さや肩下程度までの長さであってもよい。前身頃部の幅についても同様に、両肩を覆う幅を有してもよく、着用者の一部のみを覆う、より狭い幅であってもよい。
【００１４】
本考案の衣服は、オンライン会議における使用に限定されるものではない。例えば、証明写真の撮影や、パーソナルカラー診断などに用いることもできる。
【００１５】
本考案の衣服は、着用者の前方から、Ｕ字状のカラー部の両先端が着用者の背中側に配置されるようにして、カラー部を首回りに装着する。カラー部自体は平面状であってもよいが、着用時には、首回りの曲線に沿ってＵ字状となる。なお、本明細書において、Ｕ字状という用語は、２つの先端を有する円弧状の形状を意味し、両先端付近が平行であることを含意するものではない。カラー部は、中央に前身頃部が接合されており、両先端同士はつながっていない。そのため、着用者の首回りに巻きつけるようにして装着することができ、装着時には、前身頃部が着用者の正面に配置される。
【００１６】
芯部は、形状復元力を有する材料を用いてＵ字状に形成されている。したがって、カラー部がその内部に芯部を有する場合、カラー部は、実質的にＵ字状の形状に保持される。カラー部の材料としては、人力で変形可能な可撓性と形状復元力とを有する限り、任意の材料を用いることができる。装着および取り外しの際には、首が通るように可撓性を利用してカラー部を広げ、装着中は、芯部の形状復元力によって、首回りに保持される。
【００１７】
カラー部が芯部を有しない場合、カラー部は両先端に、一対の固定具を有する。固定具としては、例えば、面ファスナー、磁石、スナップボタン、フックとループの組み合わせなどが挙げられる。カラー部を首回りに配置した状態で、固定具を着用者の首の後ろで固定することによって、カラー部を首回りに保持することができる。
【００１８】
カラー部は、芯部または固定具の一方のみを有してもよく、芯部と固定具との両方を有してもよい。
【００１９】
なお、本考案は上記の実施形態に限定されるものではなく、本考案の趣旨に基づいて種々変形させることが可能であり、それらを本考案の範囲から排除するものではない。
【図１】
0003229176.tif 000003